(57)【要約】【課題】異なるカップ直径に適合でき、カップを固定的に保持するカップホルダを提供する。【解決手段】特に自動車のためのカップホルダは初期位置とカップ（１２）のための保持位置との間で調整できるようにその上にベースプレート（１４）を取り付けた支持体（１６）を有する。更に、カップホルダは、ベースプレート（１４）が初期位置から保持位置へ移動させられたときに、初期位置から、カップホルダ（１０）内でカップ（１２）を固定的に確実に保持するような保持位置へ移動させられるように、ベースプレート（１４）に接続された保持部分（２４）を有する。【選択図】図３
2006298367.tif 000002
【特許請求の範囲】
【請求項１】
特に自動車のための、カップホルダにおいて、
初期位置とカップ（１２）のための保持位置との間で調整できるようにベースプレート（１４）を取り付けた支持体（１６）と；
上記ベースプレート（１４）が上記初期位置から上記保持位置へ移動させられたときに、初期位置から、上記カップホルダ（１０）内で上記カップ（１２）を確実に固定的に保持するような保持位置へ移動させられるように、当該ベースプレート（１４）に接続された保持部分（２４）と；
を有することを特徴とするカップホルダ。
【請求項２】
上記ベースプレート（１４）が水平軸線（Ａ）のまわりで枢動できることを特徴とする請求項１に記載のカップホルダ。
【請求項３】
上記ベースプレート（１４）を上記初期位置又は上記保持位置のいずれかへ押圧するスナップ機構を設けたことを特徴とする請求項１又は２に記載のカップホルダ。
【請求項４】
上記スナップ機構が圧力バネ（２２）を有し、同圧力バネの作用線（Ｌ）は、上記初期位置から上記保持位置への変更が行われたときに、上記ベースプレート（１４）の枢動軸線（Ａ）の片側から反対側へ変化することを特徴とする請求項３に記載のカップホルダ。
【請求項５】
上記保持位置で上記保持部分（２４）を係止するブレーキ（２６）を設けたことを特徴とする請求項１ないし４のいずれかに記載のカップホルダ。
【請求項６】
上記ブレーキ（２６）が上記支持体（１６）に取り付けられた調整可能なブレーキシュー（２８）及び上記保持部分（２４）に設けられたブレーキ表面（３０）により形成されることを特徴とする請求項５に記載のカップホルダ。
【請求項７】
上記ベースプレート（１４）に接続され、同ベースプレート（１４）が上記保持位置にあるときに上記ブレーキ表面（３０）に対して上記ブレーキシュー（２８）を押し付ける作動レバー（５２）を設けたことを特徴とする請求項６に記載のカップホルダ。
【請求項８】
上記ブレーキシュー（２８）及び（又は）上記ブレーキ表面（３０）が歯部を具備することを特徴とする請求項６又は７に記載のカップホルダ。
【請求項９】
上記保持部分（２４）が上記初期位置から上記保持位置へ並進的に移動できることを特徴とする請求項１ないし８のいずれかに記載のカップホルダ。
【請求項１０】
上記保持部分（２４）が上記支持体（１６）に移動自在に取り付けられた支持プレート（３４）に取り付けられることを特徴とする請求項９に記載のカップホルダ。
【請求項１１】
上記保持部分（２４）が上記支持プレート（３４）に枢着され、バネ（３６）により休止位置へ押圧されることを特徴とする請求項１０に記載のカップホルダ。
【請求項１２】
上記初期位置から上記保持位置への変更が行われるときに、上記ベースプレート（１４）の枢動運動を上記支持プレート（３４）の並進運動に変換するレバー装置を設けたことを特徴とする請求項１０又は１１に記載のカップホルダ。
【請求項１３】
上記レバー装置が作動レバー（３８）を有し、同作動レバーは、同作動レバー（３８）が上記ベースプレート（１４）の枢動運動に直接追従しないことができるように、バネ（４０）により当該ベースプレート（１４）に接続されることを特徴とする請求項１２に記載のカップホルダ。
【請求項１４】
上記作動レバー（３８）が結合レバー（４２）に接続され、同結合レバーが伝達レバー（４４）に接続され、同伝達レバーが上記支持体（１６）に枢着され、上記保持部分（２４）のための上記支持プレート（３４）に係合することを特徴とする請求項１３に記載のカップホルダ。
【請求項１５】
上記伝達レバー（４４）が上記支持プレート（３４）のリンク（４８）内に係合するピン（４６）を有することを特徴とする請求項１４に記載のカップホルダ。
【請求項１６】
上記ブレーキ表面（３０）が上記支持プレート（３４）上に形成されることを特徴とする請求項９ないし１５のいずれかで請求項７に従属しているものに記載のカップホルダ。
【請求項１７】
上記保持部分（２４）が上記初期位置から上記保持位置へ回転移動できることを特徴とする請求項１ないし８のいずれかに記載のカップホルダ。
【請求項１８】
上記保持部分（２４）が上記支持体（１６）に枢着されることを特徴とする請求項１７に記載のカップホルダ。
【請求項１９】
互いに対向して位置する２つの上記保持部分（２４）を設けたことを特徴とする請求項１７又は１８に記載のカップホルダ。
【請求項２０】
レバー（５４）が設けられ、同レバーは、上記保持部分（２４）の回転が上記レバー（５４）の回転に直接追従しないことができるように、上記支持体（１６）に枢着され、バネ（５６）により当該保持部分（２４）に接続されることを特徴とする請求項１７ないし１９のいずれかに記載のカップホルダ。
【請求項２１】
上記保持部分（２４）が上記ブレーキ表面（３０）を具備することを特徴とする請求項１７ないし２０のいずれかで請求項７に従属しているものに記載のカップホルダ。
【請求項２２】
上記ベースプレート（１４）は、同ベースプレート（１４）が上記初期位置から上記保持位置へ枢動したときに上記レバー（５４）が外方へ調整されるように、同レバーに係合する作動表面（６０）を有することを特徴とする請求項２０又は２１に記載のカップホルダ。
【請求項２３】
その中で上記支持体（１６）が上記ベースプレート（１４）及び上記保持部分（２４）に移動自在に取り付けられるようなハウジング（１３）が設けられ、当該支持体（１６）を伸長位置へ押圧するバネ（５０）が設けられ、該支持体（１６）を引き戻し位置で係止でき、それを解放できるプッシュ／プッシュ機構が設けられることを特徴とする請求項１ないし２２のいずれかに記載のカップホルダ。
【請求項２４】
上記バネ（５０）がローラバネであることを特徴とする請求項２３に記載のカップホルダ。
【発明の詳細な説明】
【技術分野】
【０００１】
本発明は特に車両のためのカップホルダに関する。
【背景技術】
【０００２】
カップホルダは多数の要求を満たさねばならない。一方で、カップホルダは見た目に満足できるものでなければならず、他方で、カップホルダは異なる直径を有するカップを確実に保持及び固定できるものでなければならない。もちろん、「カップ」という用語はここでは瓶とか缶、即ちその中に飲料を保持できる任意の形式の容器を言う。ここでは、カップはガラス又はプラスチックのような異なる材料で作ることができ、異なる表面構造を有することができ、つまり、例えば円滑な表面を有することができ、もちろん、異なる直径を有することができる。カップホルダはこのようなすべてのカップを固定的に保持できなければならず、車両の制動時にわたってカップが落下することさえ阻止できなければならない。更に、カップホルダは、大して複雑さを伴わずに、異なるカップ直径に適合できなければならず、容易に使用できなければならない。既知のカップホルダはしばしば異なるカップ直径に迅速かつ確実に適合できない。
【発明の開示】
【発明が解決しようとする課題】
【０００３】
それ故、本発明の目的は異なるカップ直径に適合でき、カップを固定的に保持するカップホルダを提供することである。
【課題を解決するための手段】
【０００４】
この目的に対して、本発明は特に自動車のためのカップホルダを提供し、その特徴とするところは、カップホルダが、初期位置とカップのための保持位置との間で調整できるようにベースプレートを取り付けた支持体と、ベースプレートが初期位置から保持位置へ移動させられたときに、初期位置から、カップホルダ内でカップを確実に固定的に保持するような保持位置へ移動させられるように、ベースプレートに接続された保持部分と、を有することである。それ故、保持部分を一緒に移動させるためには、ベースプレートのみを移動させればよい。このようにして、カップはカップホルダ内に確実に固定され、カップの自動的な固定及びクランプが保証される。更に、ベースプレートは水平軸線のまわりでの運動により初期位置から下方の保持位置へ移動させることができる。それ故、カップホルダがカップを固定的に保持できるような保持位置へベースプレートを移動させるために特別な又は付加的な操作を必要としない。これはカップホルダの使用を容易にする。
【０００５】
好ましくは、ベースプレートは水平軸線のまわりで枢動できるように設けることができる。それ故、ベースプレートは保持位置へ下方に押される。この運動はカップを下に置くときの垂直運動であり、カップホルダがカップを固定的に保持できるような保持位置へベースプレートを移動させるために特別な又は付加的な操作を必要としない。
【０００６】
好ましくは、ベースプレートを初期位置又は保持位置のいずれかへ押圧するスナップ機構を設ける。このスナップ機構は各位置を精確に画定するのを可能にする。ベースプレートが安定した位置を有するので、保持位置においてさえ、位置決めされたカップは、殆ど空で極めて軽くても、押し上げられない。
【０００７】
好ましくは、スナップ機構は圧力バネを有し、圧力バネの作用線は、初期位置から保持位置への変更が行われたときに、ベースプレートの枢動軸線の片側から反対側へ変化する。圧力バネは、ベースプレートが２つの安定した位置をとるのを可能にし、コンパクトなデザインを可能にする。
【０００８】
好ましくは、保持位置で保持部分を係止するブレーキを設ける。保持部分を固定的に保持するブレーキは、自動車が大幅に加速された場合でさえ、カップを固定的に保持することを可能にする。
【０００９】
ブレーキは支持体に取り付けられた調整可能なブレーキシュー及び保持部分に設けられたブレーキ表面により形成することができる。ブレーキが保持部分に直接係合するので、直接的な負荷の伝達が生じる。更に、デザインがコンパクトになる。
【００１０】
例えばベースプレートに接続され、ベースプレートが保持位置にあるときにブレーキ表面に対してブレーキシューを押し付ける作動レバーを設ける。これは、ベースプレート及び保持部分を最初に調整し、カップを固定的にクランプし、次いで、ブレーキを適用することを可能にする。このようにして、カップが取り外し後にカップを再位置決めするために取り外されたときでも、カップホルダは保持位置に留まることができる。
【００１１】
ブレーキシュー及び（又は）ブレーキ表面は好ましくは歯部を具備する。歯部により保持力が増大する。
第１の実施の形態によれば、保持部分は初期位置から保持位置へ並進的に移動できる。ベースプレートの枢動運動は並進運動に容易に変換できる。
【００１２】
好ましくは、保持部分は支持体に移動自在に取り付けられた支持プレートに取り付けられる。このようにして、小さなカップ直径でも支持プレートは移動することができ、従って、異なるカップ直径に適合させることができる。
【００１３】
保持部分は好ましくは支持プレートに枢着され、バネにより休止位置へ押圧される。このようにして、保持部分は異なるカップ直径に適合できる。
好ましくは、初期位置から保持位置への変更が行われるときに、ベースプレートの枢動運動を支持プレートの並進運動に変換するレバー装置を設ける。ここでは、レバー装置はトランスミッションとして作用し、限られた構造上の空間にも拘らず、支持プレートに取り付けられた保持部分がカップを固定定期にクランプするために移動するのを可能にする。このようにして、小さなカップ直径の場合でも、支持プレートの必要な調整を達成できる。
【００１４】
レバー装置は好ましくは作動レバーを有し、作動レバーは、作動レバーがベースプレートの枢動運動に直接追従しないことができるように、バネによりベースプレートに接続される。これは、ベースプレートの位置とは関係なく、異なる直径を備えたカップが固定的に保持されるのを可能にする。
【００１５】
作動レバーは例えば結合レバーに接続され、結合レバーは伝達レバーに接続され、伝達レバーは支持体に枢着され、保持部分のための支持プレートに係合する。従って、レバー装置は機械的に簡単な態様で機能し、小さな空間しか必要としない。
【００１６】
伝達レバーは例えば支持プレートのリンク内に係合するピンを有する。接続はまた機械的に容易に達成される。
好ましくは、ブレーキ表面は支持プレート上に形成される。このようにして、簡単で有効な制動が保証される。
【００１７】
１つの実施の形態によれば、保持部分は初期位置から保持位置へ回転移動できる。保持部分の回転運動により、異なる直径を有するカップをクランプすることができる。ここでは、２つの回転的に調整できる保持部分を取り付ける必要なない。１つだけの保持部分で十分である。
【００１８】
保持部分は好ましくは支持体に枢着される。このようにして、支持体に基づいて調整を行うことを可能にする。
好ましくは、互いに対向して２つの保持部分を設ける。互いに対向して位置する保持部分は異なるカップ直径に関して一層大きな変化性を可能にする。
【００１９】
レバーを設けることができ、このレバーは、保持部分の回転がレバーの回転に直接追従しないことができるように、支持体に枢着され、バネにより保持部分に接続される。このようにして、バネが多かれ少なかれ緊張したときに、異なるカップ直径を補償することができる。
【００２０】
保持部分は好ましくはブレーキ表面を具備する。従って、ブレーキは保持部分に直接係合し、それ故、極めて有効である。
ベースプレートは、例えば、ベースプレートが初期位置から保持位置へ枢動したときにレバーが外方へ調整されるように、レバーに係合する作動表面を有する。ここでは、ベースプレートの作動表面はレバーに直接係合し、そのため、いかなる中間の素子が無くても有効であり接続を簡単に生じさせ容易に設定できる。
【００２１】
好ましくは、その中で支持体がベースプレート及び保持部分に移動自在に取り付けられるようなハウジングが設けられる。支持体を伸長位置へ押圧するバネが設けられ、支持体を引き戻し位置で係止でき、それを解放できるプッシュ／プッシュ機構が設けられる。ハウジングが設けられ、支持体がベースプレート及び保持部分に移動自在に取り付けられるので、カップホルダは、車両の乗員からは見えないような位置へ移動することができ、そのため、見た目の満足を保証することができる。カップホルダを伸長位置へ押圧するためにバネが設けられる。プッシュ／プッシュ機構は支持体を引き戻し位置で係止し、それを解放することができる。プッシュ／プッシュ機構はプッシュ式ボールペンと同様の構造のものである。カップホルダは、車両の乗員から見えるカップホルダの区分に圧力が加えられた場合にのみ、バネにより伸長位置へ押圧される。カップホルダを引き戻し位置へ回復させるためには、乗員から見える区分へ連続的な圧力を加えることにより、カップホルダを押し戻さねばならず、カップホルダはプッシュ／プッシュ機構により引き戻し位置で固定的に係止される。
【００２２】
バネは好ましくはローラバネである。ローラバネの形をしたバネは螺旋状の引っ張りバネよりも実質上一層コンパクトである。このようにして、カップホルダの必要な構造上の空間を減少させることができる。
【発明を実施するための最良の形態】
【００２３】
本発明はカップホルダ１０を示し、このカップホルダは、例えば、車両の中央コンソール（図示せず）に取り付けられ、引き戻し位置において乗員からは見えない。カップホルダ１０はカップ１２を保持するようになっている。
【００２４】
カップホルダ１０は２つの実施の形態において示され、第１の実施の形態は図１−１５に示し、第２の実施の形態は図１６−３４に示す。
両方の実施の形態のカップホルダ１０は支持体１６に取り付けられたベースプレート１４を有する。ベースプレート１４は初期位置（図１、１６）と、カップ１２のための保持位置（図３、１８）との間で調整できる。
【００２５】
ベースプレート１４は合成樹脂から作られ、多角形の形状である。多角形の形状は、車両の乗員には見えないように、引き戻し位置のベースプレート１４をハウジング１３内へ押し戻すのを可能にする。
【００２６】
ベースプレート１４は支持表面１８を有し、その上にカップ１２を載せることができる。支持表面１８はステップを形成するような形をしている。更に、支持表面１８はカップ１２の良好な把持を保証するように粗い表面（図示せず）を有することができる。
【００２７】
支持表面１８の領域においては、ベースプレート１４はカップ１２のための十分に大きな支持表面を提供するようにカップホルダ１０のほぼ全幅を占める。
ベースプレート１４は取り付け手段２０により支持体１６に枢着される。ここでは、取り付け手段２０はベースプレート１４の水平回転軸線Ａ（図５、２４）を形成する。
【００２８】
支持体１６上に配置され、ベースプレート１４に係合する圧力バネ２２を設ける。圧力バネ２２は初期位置又は保持位置へベースプレート１４を押圧することができる。
カップホルダ１０は合成樹脂から作った少なくとも１つの保持部分２４を有する。保持部分２４はベースプレート１４に接続され、カップ１２に係合して、これを固定的に保持することができる。
【００２９】
カップホルダ１０はブレーキ２６を有する。ブレーキ２６は保持部分２４を保持位置に係止することができる。ブレーキ２６はブレーキシュー２８及びブレーキ表面３０により構成される。ここでは、ブレーキシュー２８は取り付け手段３２により支持体１６に調整自在に取り付けられ、ハウジング１３の幅の一部にわたって延びる。ブレーキ表面３０は保持部分２４に位置する。ブレーキシュー２８及びブレーキ表面３０は保持力を増大させるように歯部を具備する。作動レバー５２が設けられ、このレバーにより、ブレーキ２６を作動させることができる。ここでは、作動レバー５２は別のレバー５１によりベースプレート１４に接続される。レバー５１に接続された作動レバー５２は、ベースプレート１４が保持位置にあるときに、ブレーキ表面３０に対してブレーキシュー２８を押し付けることができる。
【００３０】
ハウジング１３は支持体１６、ベースプレート１４及び保持部分２４を収容することができる。カバー３１及び区分５３が設けられ、これらの部分は、引き戻し位置において車両の中央コンソール（図示せず）上で車両の乗員が見ることができる。代わりに、フェースプレートを前部に位置させることもできる。
【００３１】
カップホルダに関連して知られているプッシュ／プッシュ機構が設けられる。プッシュ／プッシュ機構は引き戻し位置で支持体１６を係止することができ、それを解放することができる。ローラバネの形をしたバネ５０（図８）はここではハウジング１３に取り付けられ、引き戻し位置から伸長位置へカップホルダ１０を押圧することができる。
【００３２】
バネ５０は伸長位置から引き戻し位置へのカップホルダ１０の運動により予め緊張されている。
以下に、２つの実施の形態を参照する。既知の素子に対しては、同じ符号を使用し、これに関しては、上述の説明を参照すべきである。
【００３３】
図１ないし１５は第１の実施の形態におけるカップホルダ１０を示す。
保持部分２４はバネ３６により支持プレート３４に枢着され、支持プレート３４は支持体１６（図５、１１）に移動自在に取り付けられる。
【００３４】
保持部分２４は支持プレート３４に部分的に平行に延び、それに隣接する区分で外方に角度をなすものとして示され、そのため、保持部分２４はカップ１２に係合して、これを部分的に囲むことができる。
【００３５】
支持体１６はハウジング１３に平行な細長い部分として延び、それに隣接する領域において、この細長い部分に対して垂直になる。ハウジング１３に垂直な領域において、支持体は引き戻し位置で乗員が見える区分５３を有する。
【００３６】
支持体１６はベースプレート１４に対面する丸くなった表面を有し、カップ１２が保持位置でこの表面に載る。
カップホルダ１０は作動レバー３８、結合レバー４２及び伝達レバー４４で構成されるレバー装置（図１０ないし１２）を有する。
【００３７】
作動レバー３８はバネ４０によりベースプレート１４に接続され、支持体１６に取り付けられる。結合レバー４２は、一方では、作動レバー３８に接続され、他方では、伝達レバー４４に接続される。伝達レバー４４は支持体１６に取り付けられ、支持プレート３４に係合する。ここでは、伝達レバー４４は支持プレート３４のリンク４８内に係合するピン４６を有する。
【００３８】
カップホルダ１０は上述のブレーキ２６を有する。ブレーキシュー２８は取り付け手段３２により支持体１６に取り付けられる。ブレーキ表面３０は支持プレート３４上に配置される。ブレーキシュー２８及びブレーキ表面３０の双方は歯部（図１３、１５）を具備する。
【００３９】
以下、カップホルダ１０の機能性を説明する。
支持体１６の外部から見える区分５３を押すことに続いて、カップホルダ１０がバネ５０（図８）により伸長位置へ押出される。バネ３６による予めの緊張を受けた保持部分２４はハウジング１３外へ移動し、休止位置へ外方に押圧される。ベースプレート１４は圧力バネ２２のスナップ機構により初期位置に保持される。
【００４０】
初期位置においては、ベースプレート１４はレバー５１を作動させず、それ故、ブレーキ２６の作動レバー５２を作動させず、そのため、ブレーキシュー２８はブレーキ表面３０に対して押し付けられない。
【００４１】
ベースプレート１４が取り付け手段２０上に位置する回転軸線Ａのまわりで移動したとき、初期位置から保持位置へベースプレート１４が移る際に、圧力バネ２２の作用線Ｌはベースプレート１４の枢動軸線Ａの片側から反対側へ変化する。これが生じたとき、圧力バネ２２は、死点に達するまで、最初に圧縮される。次いで、圧力バネ２２は保持位置へベースプレート１４を下方に押圧する。圧力バネ２２及びその作用線Ｌの変更のため、ベースプレート１４は保持位置で確実に保持される。
【００４２】
レバー装置の運動はまたベースプレート１４の運動と連結される。レバー装置はベースプレート１４の運動を支持プレート３４の並進運動に変換する。その理由は、作動レバー３８がベースプレート１４に接続され、結合レバー４２により伝達レバー４４に接続されているからである。ここでは、伝達レバー４４のピン４６は支持プレート３４のリンク４８内で移動する。支持プレート３４が移動したとき、保持部分２４はカップ１２の方へ移動し、カップ１２が保持部分２４と支持体１６の丸くなった表面との間でクランプされるように、カップを囲むことができる。
【００４３】
ベースプレート１４がレバー５１により作動レバー５２に接続されているため、また作動レバーはブレーキシュー２８に係合しているため、ベースプレート１４が保持位置に達したときに、作動レバー５２はブレーキシュー２８に対して押し付けられる。従って、ブレーキシュー２８はブレーキ表面３０に対して押し付けられ、支持プレート３４は係止される（図１４）。ブレーキシュー２８は、ベースプレート１４が保持位置にあるときに、ブレーキ表面３０に対して押し付けられる。カップ１２が取り除かれた場合でさえ、カップホルダ１０は保持位置に留まる。その理由は、作動レバー５２がブレーキ表面３０に対して垂直に位置するからである。作動レバー５２の垂直位置はそれが採り得る最も安定した位置である。カップホルダ１０が押し込まれたときにのみ、作動レバー５２及び関連するブレーキ２６は再度解放される。その理由は、押し込まれたとき、ベースプレート１４が初期位置へ上方に押されるからである。
【００４４】
支持体１６の区分５３を押し続けることにより、カップホルダ１０は引き戻し位置へ移動する。引き戻し位置においては、カップホルダ１０はプッシュ／プッシュ機構により係止される。バネ５０は、カップホルダ１０を引き戻し位置へ押すことにより、予め緊張される。このようにして、保持部分２４に接続されたバネ３６はまた予め緊張される。その理由は、保持部分２４がハウジング１３内の引き戻し位置へ到達するようにハウジング１３により内方へ押されるからである。
【００４５】
以下、カップホルダ１０を異なるカップ直径に適合させることができるようにする機構を、図９、１０を参照しながら説明する。
ベースプレート１４の枢動運動により、支持プレート３４及びこれに接続した保持部分２４の並進運動がレバー装置により可能となる。しかし、大きなカップ直径よりもより小さなカップ直径の場合、保持部分２４を伴う支持プレート３４は大きな並進運動を受ける必要がある。その理由は、保持部分２４がカップ１２を固定的に保持するためにカップに係合しなければならないからである。
【００４６】
バネ４０によりベースプレート１４に接続された作動レバー３８は与えられた大きなカップ直径では、ベースプレート１４の枢動運動に直接追従しないことができる。保持部分２４がカップ直径に対して既に載っている場合、すなわち、更に移動する必要がない場合、バネ４０は伸ばされる。この場合、伝達レバー４４のピン４６はリンク４８内でそれ以上は移動せず、そのため、支持プレート３４の並進運動を制限する。
【００４７】
より小さなカップ直径では、伝達レバー４４のピン４６は、並進運動に対する抵抗がないため、作動レバー３８及び結合レバー４２によりカップ１２の方へ更に移動し、そのため、小さなカップ直径の場合でも保持部分２４と支持体１６の丸くなった区分との間で固定的にクランプできる。
【００４８】
図１６ないし３４は第２の実施の形態におけるカップホルダ１０を示す。既知の素子に対しては、同じ符号を使用し、これに関しては、上述の説明を参照すべきである。
ベースプレート１４は再度述べるが、初期位置（図１６）及び保持位置（図１８）をとることができる。
【００４９】
ベースプレート１４の支持表面１８は、ベースプレート１４がコンパクトなデザインとなり、引き戻し位置においてハウジング１３内に嵌合するように、ステップを形成するような形をしている。
【００５０】
引き戻し位置においては、ベースプレート１４の区分５３は自動車の中央コンソールにおいて乗員が見ることのできる部分を形成する。
支持表面１８と圧力バネ２２との間の領域において、ベースプレート１４は特別な幾何学的外側形状を有するために作動表面６０として作用する側縁部を有し、その機能は後述する。
【００５１】
この実施の形態においても、ブレーキ２６はブレーキシュー２８と、それに対応して設けられたブレーキ表面３０とで構成される。ブレーキシュー２８は支持体１６の横断面にわたってほぼ完全に延びる（図３２）。ブレーキシュー２８は取り付け手段３２により支持体１６に取り付けられる。ブレーキシュー２８及び保持部分２４上に位置するブレーキ表面３０の双方は歯部を有し、歯部は円弧として配列される。ブレーキシュー２８はレバー５１によってベースプレート１４に接続された作動レバー５２によりブレーキ表面３０に対して押し付けることができる。
【００５２】
カップホルダ１０は互いに対向して位置し、実質上同じデザインである２つの保持部分２４を有する。図３０は保持部分２４を示す。保持部分２４は、湾曲した形を有しカップ１２を取り囲む区分を有する。湾曲した区分は中間で急峻な湾曲、それ故、一層小さな曲率半径を有し、一方、湾曲は開いた端部に向かって緩やかになり；それ故、曲率半径は増大する。これは、カップがそれぞれほぼ９０°だけ違った４つの地点でカップホルダ１０により保持されるように、異なる直径のカップ１２をクランプすることを可能にする。これは、小さな直径（図１９）を有するカップ１２を示す図１９と、大きな直径（図２１）を有するカップを示す図２１との比較により、分かろう。
【００５３】
更に、保持部分２４は別の区分を有し、その下方側にブレーキ表面３０が配置される。反対側に位置する保持部分２４も対応するデザインのものである。両方の保持部分２４は回転移動できるように装着される。
【００５４】
レバー５４は各保持部分２４に接続される。両方のレバー５４は同じデザインである。その幾何学的形状においては、レバー５４は、ベースプレート１４の作動表面６０により外方へ押圧できるようなデザインを有する。
【００５５】
レバー５４は支持体１６に枢着され、それぞれバネ５６により保持部分２４に接続される。ここでは、バネ５６は異なるカップ直径を補償することを可能にする。保持部分２４とレバー５４との間の接続は、保持部分２４の回転がレバー５４の回転に直接追従しないように選択され、このようにして、異なるカップ直径を補償することができる（特に図２５、２９を参照）。
【００５６】
別のバネ５８がレバー５４とハウジング１３との間にそれぞれ配置され、レバー５４を予め緊張された状態に保つ。
カップホルダ１０は矩形のハウジング１３を有し、その中で、ベースプレート１４、支持体１６及び保持部分２４が移動自在に取り付けられる。
【００５７】
以下に、カップホルダ１０の機能を説明する。
ベースプレート１４の外部から見える区分５３を押した後に、カップホルダ１０がバネ５０により伸長位置へ押圧される（第１の実施の形態参照）。バネ５６による予めの緊張を受けた保持部分２４は、ハウジング１３外へ移動するときに、休止位置へ外方に押圧される。保持部分２４との接続のため、レバー５４は、互いに接触する（図２９）ように、移動する。伸長位置においては、ベースプレート１４はレバー５４の上方に位置する。ベースプレート１４は圧力バネ２２のスナップ機構のため初期位置で保持される。
【００５８】
初期位置においては、ベースプレート１４はレバー５１を作動させず、それ故、ブレーキ２６の作動レバー５２を作動させず、そのため、ブレーキシュー２８はブレーキ表面３０に対して押し付けられない（図３１）。
【００５９】
ベースプレート１４が取り付け手段２０上に位置する回転軸線Ａのまわりで移動したとき、ここではまた、圧力バネ２２の作用線Ｌはベースプレート１４の枢動軸線Ａの片側から反対側へ変化する。これが生じたとき、圧力バネ２２は、死点に達するまで、最初に圧縮される。次いで、圧力バネ２２はベースプレート１４を下方に押圧する。
【００６０】
カップ１２を位置決めしたとき、ベースプレート１４は保持位置へ移動される。ここでは、ベースプレート１４の作動表面６０はレバー５４を押し開くようにこれらのレバーに係合する（図２５）。押し開かれたレバー５４の効果は、保持部分２４がカップ１２を取り囲むこと、即ち、保持部分がカップ１２の方へ回転移動することである。この運動は、レバー５４と保持部分２４との間の接続を提供するバネ５６により、可能になる。バネ５８はここでは、ベースプレート１４と保持部分２４との間に接続が存在するように、作動表面６０に対してレバー５４を押圧する（図２４）。
【００６１】
ベースプレート１４がレバー５１により作動レバー５２に接続され、作動レバーがブレーキシュー２８に係合するため、ベースプレート１４が保持位置に達したときに、作動レバー５２はブレーキシュー２８に対して押し付けられる。ブレーキシュー２８はブレーキ表面３０に押し付けられ、保持部分２４を係止する（図３３）。ベースプレート１４が保持位置にあるとき、ブレーキシュー２８は作動レバー５２によりブレーキ表面３０に押し付けられる。カップ１２が取り除かれた場合でも、カップホルダ１０は保持位置に留まる。その理由は、作動レバー５２がブレーキ表面３０に対して垂直に位置するような安定位置にあるからである。ここでは、上からの圧力にも拘らず、作動レバー５２は保持部分２４を固定的に係止できる。ベースプレート１４が初期位置へ上方に枢動するようにカップホルダ１０が押し込まれた場合にのみ、ブレーキ２６は再度解放される。
【００６２】
ベースプレート１４の区分５３を押し続けることにより、ベースプレート１４及び保持部分２４と共に支持体１６がハウジング１３内に押し戻されるように、引き戻し位置が回復される。このとき、バネ５０は予め緊張され、カップホルダ１０はプッシュ／プッシュ機構により引き戻し位置で係止される。
【００６３】
カップホルダ１０は異なるカップ直径に適合できる。これは、レバー５４と保持部分２４との間のそれぞれの接続により可能になる。バネ５６により、保持部分２４の回転はレバー５４の回転に直接追従しないことができる。レバー５４がベースプレート１４の枢動運動に直接連結されるため、保持部分２４はベースプレート１４の枢動運動に直接追従しないことができる。従って、異なるカップ直径のカップ１２を固定的に囲むことができる。
【００６４】
より大きなカップ直径では、保持部分２４は大きな回転位置までは調整する必要はなく、一方、より小さなカップ直径では、保持部分２４は一層大きな調整を受ける。
カップホルダ１０はまた１つのみの回転的に調整可能な保持部分２４を有することができるか又は回転的に調整可能な保持部分２４及び可動の支持プレート３４で構成することができる。
【００６５】
このように、カップホルダ１０は、与えられたカップ直径とは関係なく、カップ１２を固定的に囲むことができる。
【図面の簡単な説明】
【００６６】
【図１】伸長位置における第１の実施の形態に係る本発明に従ったカップホルダの斜視図である。
【図２】伸長位置におけるカップホルダを示す図である。
【図３】小さなカップ直径のカップを伴う、保持位置におけるカップホルダの斜視図である。
【図４】大きなカップ直径のカップを伴う、保持位置におけるカップホルダの斜視図である。
【図５】伸長位置における、ハウジング無しのカップホルダを示す図である。
【図６】カップホルダが伸長位置にある状態での、図５のＶＩ−ＶＩ線におけるカップホルダの断面図である。
【図７】カップホルダが保持位置にある状態での、図６に係るカップホルダの断面図である。
【図８】ハウジングを伴う、伸長位置におけるカップホルダの部分断面図である。
【図９】小さなカップ直径のカップを伴う、カップホルダを示す図である。
【図１０】大きなカップ直径のカップを伴う、カップホルダを示す図である。
【図１１】小さなカップ直径のカップを伴う、カップホルダを示す図である。
【図１２】小さなカップ直径の第１のカップ及び大きなカップ直径の第２のカップである２つのカップを伴う、カップホルダを示す図である。
【図１３】カップホルダが伸長位置にある状態での、図５のＸＩＩＩ−ＸＩＩＩ線におけるカップホルダの断面図である。
【図１４】カップホルダが保持位置にある状態での、図１３に係るカップホルダの断面図である。
【図１５】カップホルダが保持位置にある状態での、図１１のＸＶ−ＸＶ線におけるカップホルダの断面図である。
【図１６】伸長位置における第２の実施の形態に係る本発明に従ったカップホルダの斜視図である。
【図１７】伸長位置におけるカップホルダを示す図である。
【図１８】小さなカップ直径のカップを伴う、保持位置におけるカップホルダの斜視図である。
【図１９】図１８に係るカップホルダを示す図である。
【図２０】大きなカップ直径のカップを伴う、保持位置におけるカップホルダの斜視図である。
【図２１】図２０に係るカップホルダを示す図である。
【図２２】大きなカップ直径のカップを伴う、カップホルダをハウジング無しで示す図である。
【図２３】保持位置におけるカップホルダを示す図である。
【図２４】大きなカップ直径のカップを伴う、カップホルダの斜視図である。
【図２５】図２３のＸＸＶ−ＸＸＶ線におけるカップホルダの断面図である。
【図２６】伸長位置における、ハウジング無しのカップホルダを示す図である。
【図２７】伸長位置におけるカップホルダを示す図である。
【図２８】伸長位置におけるカップホルダの斜視図である。
【図２９】図２７のＸＸＩＸ−ＸＸＩＸ線におけるカップホルダの断面図である。
【図３０】カップホルダの保持部分の斜視図である。
【図３１】ブレーキを備えた、伸長位置におけるカップホルダを示す図である。
【図３２】図３１のＸＸＸＩＩ−ＸＸＸＩＩ線におけるカップホルダの断面図である。
【図３３】ブレーキを備えた、保持位置におけるカップホルダを示す図である。
【図３４】図３３のＸＸＸＩＶ−ＸＸＸＩＶ線におけるカップホルダの断面図である。
【符号の説明】
【００６７】
１０  カップホルダ
１２  カップ
１３  ハウジング
１４  ベースプレート
１６  支持体
２２  圧力バネ
２４  保持部分
２６  ブレーキ
２８  ブレーキシュー
３０  ブレーキ表面
３４  支持プレート
３６  バネ
３８  作動レバー
４２  結合レバー
４４  伝達レバー
４６  ピン
４８  リンク
５０  バネ
５２  作動レバー
５４  レバー
５６  バネ
６０  作動表面
【図１】
2006298367.tif 000003
【図２】
2006298367.tif 000004
【図３】
2006298367.tif 000005
【図４】
2006298367.tif 000006
【図５】
2006298367.tif 000007
【図６】
2006298367.tif 000008
【図７】
2006298367.tif 000009
【図８】
2006298367.tif 000010
【図９】
2006298367.tif 000011
【図１０】
2006298367.tif 000012
【図１１】
2006298367.tif 000013
【図１２】
2006298367.tif 000014
【図１３】
2006298367.tif 000015
【図１４】
2006298367.tif 000016
【図１５】
2006298367.tif 000017
【図１６】
2006298367.tif 000018
【図１７】
2006298367.tif 000019
【図１８】
2006298367.tif 000020
【図１９】
2006298367.tif 000021
【図２０】
2006298367.tif 000022
【図２１】
2006298367.tif 000023
【図２２】
2006298367.tif 000024
【図２３】
2006298367.tif 000025
【図２４】
2006298367.tif 000026
【図２５】
2006298367.tif 000027
【図２６】
2006298367.tif 000028
【図２７】
2006298367.tif 000029
【図２８】
2006298367.tif 000030
【図２９】
2006298367.tif 000031
【図３０】
2006298367.tif 000032
【図３１】
2006298367.tif 000033
【図３２】
2006298367.tif 000034
【図３３】
2006298367.tif 000035
【図３４】
2006298367.tif 000036